(57)【要約】【課題】            チェーンベルトとしても、ウォレットチェーンとしても、ネックレスとしても、ブレスレットとしても使用できる装飾チェーンを用いた装身具を提供する。【解決手段】        複数の装飾チェーンと、連結・分離を可能とする留め金具と、アジャスター用チェーンとからなる装身具であって、複数の装飾チェーンは長さを異にし、その一端側と他端側が留め金具に連結され、一方の留め金具にアジャスター用チェーンの一端が連結されており、チェーンベルトとしても、ウォレットチェーンとしても、ネックレスとしても、ブレスレットとしても使用できる装飾チェーンを用いた装身具。【選択図】          図１
0003106983.tif 000002
【実用新案登録請求の範囲】
【請求項１】
複数の装飾チェーンと、連結・分離を可能とする留め金具と、アジャスター用チェーンとからなる装身具であって、複数の装飾チェーンは長さを異にし、その一端側と他端側が留め金具に連結され、一方の留め金具にアジャスター用チェーンの一端が連結されていることを特徴とする装飾チェーンを用いた装身具。
【請求項２】
複数の装飾チェーンと、ベルト体と、連結・分離可能とする留め金具と、アジャスター用チェーンとからなる装身具であって、複数の装飾チェーンは長さを異にし、その一端側と他端側に留め金具が連結され、ベルト体は少なくとも一端側に留め金具を備え、該ベルト体は取付部材を着脱自在に取り付ける孔を有し、そのベルト体の一端側は前記装飾チェーンの一端側に連結された留め金具に、他端側は前記装飾チェーンの他端側に連結された留め金具に、それぞれ着脱自在に連結され、前記装飾チェーンの一端側および他端側のいずれか一方の留め金具にアジャスター用チェーンの一端が連結されていることを特徴とする装飾チェーンを用いた装身具。
【請求項３】
前記アジャスター用チェーンまたは一方の留め金具とアジャスター用チェーンとの間に、両端に留め金具を備えるブレスレット用のチェーンが着脱自在に設けられていることを特徴とする請求項１または２記載の装飾チェーンを用いた装身具。
【請求項４】
前記複数の装飾チェーンは、形状、寸法および材質などの構成を異にすることを特徴とする請求項１乃至３のいずれかに記載の装飾チェーンを用いた装身具。
【考案の詳細な説明】
【技術分野】
【０００１】
この考案は、チェーンベルト、ウォレットチェーン、ネックレス及びブレスレット等に兼用できる装飾チェーンを用いた装身具に関する。
【背景技術】
【０００２】
従来、装飾チェーンを用いた装身具において、ネックレス及びブレスレットに兼用できるものは知られている（例えば、特許文献１および２参照）。
また、ネックレス及びブレスレットに兼用できるもので、複数の装飾チェーンを用いたものも知られている（例えば、特許文献３および４参照）。
これらのネックレス及びブレスレットに兼用できる装身具は、いずれも装飾チェーンの輪の大きさが調整でき、それによってネックレスとして使用したり、ブレスレットとして使用したりできるようにしたものである。
【特許文献１】実用新案登録第３０６３８９１号公報（請求項１、段落０００１）
【特許文献２】実用新案登録第３０６６６５６号公報（段落０００５、０００６）
【特許文献３】特開２００１−８７１８号公報（請求項１、段落０００５）
【特許文献４】実用新案登録第３０６６１０５号公報（請求項１、段落０００１）
【考案の開示】
【考案が解決しようとする課題】
【０００３】
従来の装飾チェーンを用いた装身具は、ネックレスとブレスレットに兼用できるもの、及びネックレスや、ブレスレットや、ブローチや、ネクタイピン等に利用可能なものであり、チェーンベルトが、ウォレットチェーンや、ネックレスや、ブレスレット等に兼用できるタイプの製品ではない。チェーンベルトが、ウォレットチェーンとしても、ネックレスとしても、及びブレスレットとしても使用できれば、１つの装身具での使用範囲が広がり、自由度に富み使用者にとって興味深いものとなる。
この考案は、このような課題に着目し、チェーンベルトが、ウォレットチェーンとしてもネックレスとしてもブレスレットとしても兼用できる装身具の提供を第１の目的とする。
【０００４】
また、従来のネックレス及びブレスレット等を兼用できる装飾チェーンを用いた装身具は、装飾チェーンの輪の大きさが調整でき、それによってネックレスとしたりブレスレットとしたりして使用するものである。したがって、装飾チェーンの輪の大きさの調整部品が必要となり、装身具の装飾性の阻害要因となったり、価格高の要因になったりする。
この考案は、このような点に鑑み装飾チェーンの輪の大きさの調整部品を必要としない、チェーンベルト、ウォレットチェーン、ネックレス及びブレスレット等に兼用できる装飾チェーンを用いた装身具の提供を第２の目的とする。
【課題を解決するための手段】
【０００５】
前記目的を達成するため、この考案の装飾チェーンを用いた装身具は、複数の装飾チェーンと、連結・分離を可能とする留め金具（クラスプ）と、アジャスター用チェーンとからなる装身具であって、複数の装飾チェーンは長さを異にし、その一端側と他端側が留め金具に連結され、一方の留め金具にアジャスター用チェーンの一端が連結されていることを特徴とする
【０００６】
これにより装飾チェーンを腰に巻き、一端側の留め金具をアジャスター用チェーンの適所に連結することによってチェーンベルトとして使用できる。この時、細めの人および太めの人等の体型によって必要とするチェーンベルトの長さを異にする。それ故にアジャスター用チェーンを設け、一端側の留め金具のアジャスター用チェーンへの連結する位置を変えることによって対応できる。
また、一端側の留め金具をズボンのポケットに収納した財布に連結し、他端側の留め金具をベルト又はズボンのベルト挿通環等に連結することによってウォレットチェーンとして使用できる。
さらに、アジャスター用チェーンを一方の留め金具より取り外した状態で、複数の装飾チェーンを首に回し、両端の留め金具同士を連結することによってネックレスとして使用できる。
また、アジャスター用チェーンを一方の留め金具より取り外した状態で、複数の装飾チェーンを手首に２重に巻き回し、両端の留め金具同士を連結することによってブレスレットとして使用できる。
【０００７】
また、この考案の装飾チェーンを用いた装身具は、複数の装飾チェーンと、ベルト体と、連結・分離可能とする留め金具と、アジャスター用チェーンとからなる装身具であって、複数の装飾チェーンは長さを異にし、その一端側と他端側に留め金具が連結され、ベルト体は少なくとも一端側に留め金具を備え、該ベルト体は取付部材を着脱自在に取り付ける孔を有し、そのベルト体の一端側は前記装飾チェーンの一端側に連結された留め金具に、他端側は前記装飾チェーンの他端側に連結された留め金具に、それぞれ着脱自在に連結され、前記装飾チェーンの一端側および他端側のいずれか一方の留め金具にアジャスター用チェーンの一端が連結されていることを特徴とする。
これにより前記使用方法に加え、ベルト体は取付部材を取り付ける孔を有するので、チェーンベルトおよびウォレットチェーンとして使用するときには、孔に取付部材、例えば、キーホルダを取り付け（吊り下げ）でおくことができる。また、ベルト体は着脱自在となっているので装身具より取り外し、単独でベルトとしても使用できる。この時もこのベルト体に取付部材（キーホルダ）等を取り付けておくことができる。また、装身具は、ベルト体を付けた状態でも、取り外した状態でも使用できる。
【０００８】
また、この考案の装飾チェーンを用いた装身具は、前記アジャスター用チェーンまたは一方の留め金具とアジャスター用チェーンとの間に、両端に留め金具を備えるブレスレット用のチェーンが着脱自在に設けられていることを特徴とする。
これによりブレスレット用のチェーンは、両端に留め金具を備え着脱自在となっているので、前記使用態様の他にブレスレット用チェーンを取り外し、手首に巻いてブレスレットとして使用できる。このブレスレット用チェーンは、アジャスター用チェーンまたは一方の留め金具とアジャスター用チェーンとの間に取り付けられているときは装飾チェーンの役目も果たす。
【０００９】
さらに、この考案の装飾チェーンを用いた装身具は、前記複数の装飾チェーンが、形状、寸法および材質などの構成を異にすることを特徴とする。
【００１０】
これにより装飾性、美感、趣向性などを変化させることができ、需要者の好みに対応したものが種々提供可能となる。
【００１１】
なお、この考案ではチェーンの他にワイヤーや紐類も使用可能である。従って、この考案ではチェーンの他にワイヤーや紐類も含め「装飾チェーン」と総称する。また、留め金具は、クラスプや引環と称す連結・分離可能なものであればよく、その構成に特に制限はない。
【考案の効果】
【００１２】
この考案の装飾チェーンを用いた装身具によれば、次のような効果を奏する。
（１）請求項１のように、長さを異にする複数の装飾チェーンの一端側と他端側が留め金具に連結され、一方の留め金具にアジャスター用チェーンの一端が着脱自在に連結されていると、装飾チェーンを腰に巻き、一端側の留め金具をアジャスター用チェーンの適所に連結することによってチェーンベルトとして使用でき、また、一端側の留め金具をズボンのポケットに収納した財布に連結し、他端側の留め金具をベルト又はズボンのベルト挿通輪等に連結することによってウォレットチェーンとして使用でき、
さらに、アジャスター用チェーンを一方の留め金具より取り外した状態で、複数の装飾チェーンを首に回し、両端の留め金具同士を連結することによってネックレスとして使用でき、
また、アジャスター用チェーンを一方の留め金具より取り外した状態で、複数の装飾チェーンを手首に２重に巻き回し、両端の留め金具同士を連結することによってブレスレットとして使用できる。
【００１３】
（２）また、請求項２のように、取付部材を取り付ける孔を有するベルト体が、着脱自在に設けられていると、前記の他に更に、チェーンベルトおよびウォレットチェーンとして使用するときには、孔に取付部材、例えば、キーホルダを取り付け（吊り下げ）でおくことができる。また、ベルト体は着脱自在となっているので装身具より取り外し、単独でベルトとしても使用できる。この時もこのベルト体に取付部材（キーホルダ）等を取り付けておくことができる。また、装身具は、ベルト体を付けた状態でも、取り外した状態でも使用できるので、バリエーションが増加する。
【００１４】
（３）また、請求項３のように、両端に留め金具を備えるブレスレット用チェーンが着脱自在に設けられていると、前記の他に更にブレスレット用チェーンを取り外し、手首に巻いてブレスレットとして使用できる態様が増加する。
【００１５】
（４）さらに、請求項４のように、複数の装飾チェーンが、形状、寸法および材質などの構成を異にすると、装飾性、美感、趣向性などを変化させることができ、需要者の好みに対応したものを種々提供できる。これにより購買力も向上する。
【考案を実施するための最良の形態】
【００１６】
以下、この考案の実施の形態を図面と共に詳細に説明する。図１はこの考案の第１の実施の形態を示す装飾チェーンを用いた装身具の正面図、図２の（ａ）は図１のＡ部拡大図、（ｂ）は図１のＢ部拡大図である。
【００１７】
図示の装飾チェーンを用いた装身具１は、複数の装飾チェーン２と、連結・分離を可能とする留め金具３、４と、アジャスター用チェーン５とで大略構成される。複数の装飾チェーン２は、長さを異にする４本の装飾チェーン２ａ、２ｂ、２ｃ、２ｄで構成され、その一端側と他端側とが留め金具３、４に連結され、一方の留め金具３にアジャスター用チェーンの一端が連結されている。
【００１８】
詳しくは、長さを異にする４本の装飾チェーン２ａ、２ｂ、２ｃ、２ｄは、形状、寸法、材質等の構成を異にしており、例えば、最も短い装飾チェーン２ａは、チェーンで構成され、中間の長さの装飾チェーン２ｂ、２ｃは寸法（径）の異なるボールチェーンで構成され、最も長い装飾チェーン２ｄは、真珠を備えたチェーンで構成されている。
【００１９】
この４本の装飾チェーン２ａ、２ｂ、２ｃ、２ｄの端部は、図２に拡大して示すようにリング７に連結され、このリング７が留め金具３、４に取り付けられたリング６に連結されることによって、留め金具３、４に連結されている。留め金具３、４は、クラスプであって引環（引輪）などを例示できるが、連結・分離可能なものであれば、その構成に特に制限はない。
そして、一方の留め金具３には、アジャスター用チェーン５が、その一端を連結して設けられている。このアジャスター用チェーン５は、装身具１をチェーンベルトとして使用する時、細い人や太い人等の体型の違いに対応可能とするものである。即ち、チェーンベルトとして使用する時は、細めの人および太めの人等の体型によって必要とするチェーンベルトの長さを異にする。従って、アジャスター用チェーン５を設け、腰に巻いて他端側の留め金具４のアジャスター用チェーン５への連結する（止める）位置を変えることによって対応できるようにしたものである。
【００２０】
しかして、この複数の装飾チェーン２を用いた装身具１は、複数の装飾チェーン２を腰に巻き、他端側の留め金具４をアジャスター用チェーン５の適所に止めることによってチェーンベルトとして使用できる。図３はこの様子を示す斜視図である。この時、留め金具４のアジャスター用チェーン５への連結位置を変えることによって、体型の相違に対応できる。
図３は腰に完全に巻回して使用する場合であるが、これは図４に示すように一端側の留め金具３と他端側の留め金具４（図４では見えない）とをベルトやベルトを挿通するベルト挿通環などに止めて腰に位置させて使用させてもよい。
【００２１】
また、この装身具１は、図５に示すように一端側の留め金具３をベルトまたはズボン９のベルト挿通環１１に連結し、他端側の留め金具４をズボン９のポケット１０に収納した財布８に連結することによってウォレットチェーンとして使用できる。この時、アジャスター用チェーン５は、取り付けたままでもよいし、取り外してもよい。図５では取り外して使用している状態を示している。
また、図６に示すように装身具１をチェーンベルトとして使用しつつ、アジャスター用チェーン５の先端をポケット１０に収納した財布８に連結してウォレットチェーンとして使用してもよい。この時の装身具１のチェーンベルトとしての使用方法は、図３に示すような方法でも、図４に示すような方法でもよい。図６では図４に示す使用の態様で示している。
【００２２】
さらに、この装身具１は、アジャスター用チェーン５を留め金具３より取り外した状態で、図７に示すように複数の装飾チェーン２（２a、２ｂ、２ｃ、２ｄ）を首に回し、両端の留め金具３、４（図７では見えない）同士を連結することによってネックレスとして使用できる。
また、図示は省略したが、アジャスター用チェーン５を留め金具３より取り外した状態で、複数の装飾チェーン２（２a、２ｂ、２ｃ、２ｄ）を手首に２重に巻き回し、両端の留め金具３、４同士を連結することによってブレスレットとしても使用できる。
【００２３】
図８はこの考案の第２の実施の形態を示す装飾チェーンを用いた装身具の正面図、図９は図８のＣ部拡大図である。この実施の形態は、両端に留め金具１３、１４を備えるブレスレット用チェーン１２が付加されたものであって、他は前記実施の形態と同様であるので同一構成要素には同一符号を付して詳細な説明は省略する。
【００２４】
ブレスレット用チェーン１２は、手首に巻いて使用するのに適した長さとなっており、例えば、一重に巻いて使用する場合はその長さであり、二重に巻いて使用する場合はその長さである。このブレスレット用チェーン１２の形状、寸法、材質、等の構成は、好みに応じ任意に選択できる。本例ではボールチェーンで構成されている場合を示している。
ブレスレット用チェーン１２は、両端に留め金具１３、１４を具備するので、この留め金具１３、１４を使用して装身具１の適宜の場所に取り付ければよい。本例では図９に拡大して示すように一端側の留め金具１３を留め金具３に取り付けたリング６に連結し、他端側の留め金具１４をアジャスター用チェーン５に連結して取り付けられている。
【００２５】
従って、この実施の形態では、ブレスレット用チェーン１２を装身具１から取り外し、図１０に示すように手首に回して両端の留め金具１３、１４同士を連結することによってブレスレットとして使用できる態様が増加する。他のチェーンベルト、ウォレットチェーン、ネックレス等として使用できる態様は、前記実施の形態と同様である。
即ち、図１１および図１２に示すにように腰に巻いてチェーンベルトとして使用できるし、図１３に示すようにネックレスとしても使用できるし、前記実施の形態の図５および図６のようにウォレットチェーンとしても使用できる。
【００２６】
図１４はこの考案の第３の実施の形態を示す装飾チェーンを用いた装身具の正面図、図１５はベルト体の斜視図である。この実施の形態は、取付部材、例えばキーホルダ１９を取り付ける孔１６を有するベルト体１５が付加されたものであって、他は前記実施の形態と同様であるので同一構成要素には同一符号を付して詳細な説明は省略する。
【００２７】
ベルト体１５は、複数の装飾チェーン２（２a、２ｂ、２ｃ、２ｄ）と同様に装飾体を形成するものであり、図１５に拡大して示すように両端に留め金具１７、１８が連結され、この留め金具１７、１８を用いて前記装飾チェーン２の留め金具３、４に連結されている。即ち、ベルト体１５の一端側の留め金具１７は、前記装飾チェーン２の一端側に連結された留め金具３に、他端側の留め金具１８は、前記装飾チェーン２の他端側に連結された留め金具４に、それぞれ連結されている。従って、ベルト体１５は装身具１に対し着脱自在となっている。本例では、ベルト体１５の両端に留め金具１７、１８を設けているが、これは一方だけでもよく、他方はリングや孔であってもよい。リングや孔であっても装飾チェーン２の留め金具３または４に着脱自在に連結できるからである。なお、ベルト体１５は一端側にバックルを設け、これを留め金具としてもよい。
【００２８】
従って、この実施の形態では、装身具１をチェーンベルトとして使用する時は、図１６に示すようにベルト体１５の孔１６に取付部材、例えばキーホルダ１９を取り付けて使用することができる。ウォレットチェーンとして使用する時も同様である。本例ではベルト体１５の孔１６は１個であるが、これは複数であってもよい。複数の場合には、種々の取付部材を取り付けて使用できる。取付部材は、キーホルダ１９だけでなく任意であるが、例えば、キャラクターグッズ、フィギュア、マスコット品、その他の装飾品を挙げることができる。
また、ベルト体１５は、装身具１に対し着脱自在であるので、ベルト体１５を取り付けた状態で装身具１として使用してもよいし、取り外した状態で使用してもよい。この時の使用態様は、前記実施の形態と同様である。即ち、チェーンベルト、ウォレットチェーン、ネックレス及びブレスレットとしての使用である。
また、この実施の形態では、ベルト体１５は取り外し可能であるので、ベルト体１５を取り外し、ベルト体１５を図１７および図１８に示すように単独にベルトとして使用してもよい。図１７はベルトとして使用し、そのベルト体１５に装身具１を取り付けて使用している状態を示し、図１８はベルトとして使用し、そのベルト体１５にキーホルダ１９を吊り下げて使用している場合を示している。
【００２９】
なお、前記実施の形態は、この考案を制限するものではなく、この考案は要旨を逸脱しない範囲において種々の変形が許容される。例えば、複数の装飾チェーンの本数、組み合わせ、形状、寸法、材質等は、任意に選択できるものであって、前記実施の形態に制限されるものではない。
【産業上の利用可能性】
【００３０】
この考案の装飾チェーンを用いた装身具は、チェーンベルト、ウォレットチェーン、ネックレス及びブレスレットに兼用できるものである。例えば、装身具をチェーンベルトとすれば、ウォレットチェーンとしても、ネックレスとしても、およびブレスレットとして楽しめるものであり、４ウエイが楽しめるものである。
【図面の簡単な説明】
【００３１】
【図１】この考案の第１の実施の形態を示す装飾チェーンを用いた装身具の正面図である。
【図２】図１のＡ部拡大図（ａ）およびＢ部拡大図（ｂ）である。
【図３】チェーンベルトとして使用している状態を示す斜視図である。
【図４】チェーンベルトとして他の使い方をしている状態を示す斜視図である。
【図５】ウォレットチェーンとして使用している状態を示す斜視図である。
【図６】ウォレットチェーンとして他の使い方をしている状態を示す斜視図である。
【図７】ネックレスとして使用している状態を示す正面図である。
【図８】この考案の第２の実施の形態を示す装飾チェーンを用いた装身具の正面図である。
【図９】図８のＣ部拡大図である。
【図１０】ブレスレットとして使用している状態を示す斜視図である。
【図１１】チェーンベルトとして使用している状態を示す斜視図である。
【図１２】チェーンベルトとして他の使い方をしている状態を示す斜視図である。
【図１３】ネックレスとして使用している状態を示す正面図である。
【図１４】この考案の第３の実施の形態を示す装飾チェーンを用いた装身具の正面図である。
【図１５】ベルト体の斜視図である。
【図１６】第３の実施の形態をチェーンベルトとして使用している状態を示す斜視図である。
【図１７】第３の実施の形態の使用例を示す斜視図である。
【図１８】第３の実施の形態の他の使用例を示す斜視図である。
【符号の説明】
【００３２】
１  装飾チェーンを用いた装身具
２  複数の装飾チェーン
２a、２ｂ、２ｃ、２ｄ  長さ等を異にする装飾チェーン
３、４、１３、１４、１７、１８  留め金具
５  アジャスター用チェーン
８  財布
１２  ブレスレット用チェーン
１５  ベルト体
１６  孔
１９  キーホルダ
【図１】
0003106983.tif 000003
【図２】
0003106983.tif 000004
【図３】
0003106983.tif 000005
【図４】
0003106983.tif 000006
【図５】
0003106983.tif 000007
【図６】
0003106983.tif 000008
【図７】
0003106983.tif 000009
【図８】
0003106983.tif 000010
【図９】
0003106983.tif 000011
【図１０】
0003106983.tif 000012
【図１１】
0003106983.tif 000013
【図１２】
0003106983.tif 000014
【図１３】
0003106983.tif 000015
【図１４】
0003106983.tif 000016
【図１５】
0003106983.tif 000017
【図１６】
0003106983.tif 000018
【図１７】
0003106983.tif 000019
【図１８】
0003106983.tif 000020